(57)【特許請求の範囲】
【請求項１】
開始ワイヤレス局（ＳＴＡ）における方法であって、
ファインタイミング測定（ＦＴＭ）メッセージの１つまたは複数のバーストを応答ＳＴＡに要求する第１のＦＴＭ要求メッセージを送信することと、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの第２のＦＴＭ要求メッセージの送信との間の最小時間オフセットを指定する、少なくとも１つのフィールドを備える、
前記第１のＦＴＭ要求メッセージに応答して、前記応答ＳＴＡによって送信された前記初期ＦＴＭメッセージを受信することと
を備える、方法。
【請求項２】
前記初期ＦＴＭメッセージの受信に応答して、前記応答ＳＴＡに肯定応答メッセージを送信することと、
前記肯定応答メッセージの送信に続いて低減電力状態に遷移することと、
少なくとも部分的に、前記最小時間オフセットによって定義される持続時間の終了より前に、前記低減電力状態から全電力状態に遷移することと
をさらに備える、請求項１に記載の方法。
【請求項３】
ＦＴＭメッセージの前記１つまたは複数のバースト中で送信されたＦＴＭメッセージのうちの少なくとも１つの飛行時間を算出することと、
前記算出された飛行時間に少なくとも部分的に基づいて、前記開始ＳＴＡと前記応答ＳＴＡとの間の距離を測定することと
をさらに備える、請求項１に記載の方法。
【請求項４】
前記第１のＦＴＭ要求メッセージ中の１つまたは複数の要求されたパラメータの、前記初期ＦＴＭメッセージ中の１つまたは複数の代替パラメータとの比較に少なくとも部分的に基づいて、前記最小時間オフセットに続いて前記第２のＦＴＭ要求メッセージを送信すること
をさらに備える、請求項１に記載の方法。
【請求項５】
前記第２のＦＴＭ要求メッセージを送信すること、前記第２のＦＴＭ要求メッセージが、前記第１のＦＴＭ要求メッセージ中の１つまたは複数の第１の要求されたパラメータの、前記受信された初期ＦＴＭメッセージ中の１つまたは複数の代替パラメータとの比較に少なくとも部分的に基づいて、前記第１のＦＴＭ要求メッセージを消去するためのトリガフィールドにおける値を備える、
をさらに備える、請求項１に記載の方法。
【請求項６】
１つまたは複数の第２の要求されたパラメータを備える第３のＦＴＭ要求メッセージを前記応答ＳＴＡに送信することをさらに備える、請求項５に記載の方法。
【請求項７】
前記第１のＦＴＭ要求メッセージは、前記少なくとも１つのフィールドが部分タイミング同期機能（ＴＳＦ）タイマー指示の代わりに前記最小時間オフセットを含んでいることを示す、１つまたは複数のビットをさらに備える、請求項１に記載の方法。
【請求項８】
開始ワイヤレス局（ＳＴＡ）であって、
ワイヤレス通信ネットワークからメッセージを受信するための受信機と、
前記ワイヤレス通信ネットワークにメッセージを送信するための送信機と、
請求項１乃至７のいずれかに記載のステップを実行するように構成された１つまたは複数のプロセッサと
を備える、開始ＳＴＡ。
【請求項９】
応答ワイヤレス局（ＳＴＡ）において、
開始ＳＴＡから第１のファインタイミング測定（ＦＴＭ）要求メッセージを受信することと、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記初期ＦＴＭメッセージを送信することと
を備える方法。
【請求項１０】
前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振ること
をさらに備える、請求項９に記載の方法。
【請求項１１】
前記開始ＳＴＡによって送信された肯定応答メッセージの受信の不在に応答して、設定された回数、前記初期ＦＴＭメッセージを再送信することと、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振ることと
をさらに備える、請求項１０に記載の方法。
【請求項１２】
前記第１のＦＴＭ要求メッセージが、ＦＴＭメッセージの前記要求された１つまたは複数のバーストの１つまたは複数の要求された態様を指定するための１つまたは複数の第１のパラメータを備える１つまたは複数のフィールドをさらに備え、前記初期ＦＴＭメッセージが、ＦＴＭメッセージの前記要求された１つまたは複数のバーストのための１つまたは複数の代替態様を指定するための１つまたは複数のフィールドをさらに備える、請求項１０に記載の方法。
【請求項１３】
前記１つまたは複数の要求された態様が、バーストの数、バースト持続時間またはバーストオフセット、あるいはそれらの任意の組合せを備える、請求項１２に記載の方法。
【請求項１４】
応答ワイヤレス局（ＳＴＡ）であって、
ワイヤレス通信ネットワークからメッセージを受信するための受信機と、
前記ワイヤレス通信ネットワークにメッセージを送信するための送信機と、
請求項９乃至１３のいずれかに記載のステップを実行するように構成された１つまたは複数のプロセッサと
を備える、応答ＳＴＡ。
【請求項１５】
請求項１乃至７のいずれかに記載のステップを実行するように開始ワイヤレス局（ＳＴＡ）の１つまたは複数のプロセッサによって実行可能であるか、または、請求項９乃至１３のいずれかに記載のステップを実行するように応答ワイヤレス局（ＳＴＡ）の１つまたは複数のプロセッサによって実行可能なコンピュータ可読命令を記憶した非一時的記憶媒体。
【発明の詳細な説明】
【技術分野】
【０００１】
関連出願本出願は、参照により本明細書に明確に組み込まれる、２０１５年２月１７日に出願された「Methods and Systems for Ranging Protocol」と題する米国仮出願第６２／１１７，４０７号、および２０１５年９月４日に出願された「Methods and Systems for Ranging Protocol」と題する米国非仮出願第１４／８４５，８９３号の利益を主張する。
【０００２】
[0001]本明細書で説明される実施形態は、モバイル送信機から収集された信号の測定値を取得することを対象とする。
【背景技術】
【０００３】
情報：
[0002]全地球測位システム（ＧＰＳ）などの衛星測位システム（ＳＰＳ）は、屋外環境におけるモバイルハンドセットのためのナビゲーションサービスを可能にした。同様に、屋内環境においてモバイルデバイスの位置の推定値を取得するための特定の技法は、宅内ベニュー、政府ベニューまたは商業ベニューなど、特定の屋内ベニューにおける拡張ロケーションベースサービスを可能にし得る。たとえば、モバイルデバイスと固定ロケーションに位置するトランシーバとの間の範囲は、第１のデバイスから第２のデバイスへの第１のメッセージの送信と、第１のメッセージに応答して送信された、第１のデバイスにおける第２のメッセージの受信との間で測定されたラウンドトリップ時間（ＲＴＴ）の測定値に少なくとも部分的に基づいて測定され得る。
【０００４】
[0003]以下の図を参照しながら非限定的で非網羅的な態様が説明され、ここにおいて、別段に規定されていない限り、様々な図の全体を通して、同様の参照番号は同様の部分を指す。
【図面の簡単な説明】
【０００５】
【図１】[0004]一実装形態による、モバイルデバイスを含んでいるシステムのいくつかの特徴を示すシステム図。
【図２】[0005]特定の実施形態による、ワイヤレス局（ＳＴＡ）間のメッセージフローを示す図。
【図３】特定の実施形態による、ワイヤレス局（ＳＴＡ）間のメッセージフローを示す図。
【図４】[0006]特定の実施形態による、メッセージの交換に関してＳＴＡによって実行されるプロセスの流れ図。
【図５】特定の実施形態による、メッセージの交換に関してＳＴＡによって実行されるプロセスの流れ図。
【図６】[0007]一実施形態による、ファインタイミング測定（ＦＴＭ：fine timing measurement）要求メッセージ中のフィールドを示す図。
【図７】[0008]一実施形態による、ＦＴＭ要求メッセージ中のフィールドを示す図。
【図８】[0009]一実装形態による、例示的なデバイスを示す概略ブロック図。
【図９】[00010]一実装形態による、例示的なコンピューティングシステムの概略ブロック図。
【発明の概要】
【０００６】
[00011]手短に言えば、特定の実装形態は、開始ワイヤレス局（ＳＴＡ）における、ファインタイミング測定（ＦＴＭ）メッセージの１つまたは複数のバーストを応答ＳＴＡに要求する第１のＦＴＭ要求メッセージを送信することと、第１のＦＴＭ要求メッセージが、少なくとも、ＦＴＭメッセージの要求された１つまたは複数のバーストのうちの初期バーストに先行する、応答ＳＴＡからの初期ＦＴＭメッセージの送信と開始ＳＴＡからの第２のＦＴＭ要求メッセージの送信との間の最小時間オフセットを指定する、少なくとも１つのフィールドを備える、第１のＦＴＭ要求メッセージに応答して、応答ＳＴＡによって送信された初期ＦＴＭメッセージを受信することとを備える方法を対象とする。
【０００７】
[00012]別の特定の実装形態は、ワイヤレス通信ネットワークからメッセージを受信するための受信機と、ワイヤレス通信ネットワークにメッセージを送信するための送信機と、１つまたは複数のプロセッサとを備える開始ワイヤレス局（ＳＴＡ）であって、１つまたは複数のプロセッサは、ファインタイミング測定（ＦＴＭ）メッセージの１つまたは複数のバーストを応答ＳＴＡに要求する、送信機を介した、第１のＦＴＭ要求メッセージの送信を開始することと、第１のＦＴＭ要求メッセージが、少なくとも、ＦＴＭメッセージの要求された１つまたは複数のバーストのうちの初期バーストに先行する、応答ＳＴＡからの初期ＦＴＭメッセージの送信と開始ＳＴＡからの第２のＦＴＭ要求メッセージの送信との間の最小時間オフセットを指定する、少なくとも１つのフィールドを備える、受信機において受信された第１のＦＴＭ要求メッセージに応答して、応答ＳＴＡによって送信された初期ＦＴＭメッセージを取得することとを行うように構成された、開始ＳＴＡを対象とする。
【０００８】
[00013]別の特定の実装形態は、応答ワイヤレス局（ＳＴＡ）において、開始ＳＴＡから第１のファインタイミング測定（ＦＴＭ）要求メッセージを受信することと、第１のＦＴＭ要求メッセージが、ＦＴＭメッセージの１つまたは複数のバーストを要求し、少なくとも、ＦＴＭメッセージの要求された１つまたは複数のバーストのうちの初期バーストに先行する、応答ＳＴＡからの初期ＦＴＭメッセージの送信と開始ＳＴＡからの後続のＦＴＭ要求メッセージの送信との間の最小時間オフセットを指定する、１つまたは複数のフィールドを備える、第１のＦＴＭ要求メッセージに応答して、初期ＦＴＭメッセージを送信することとを備える方法を対象とする。
【０００９】
[00014]別の特定の実装形態は、ワイヤレス通信ネットワークからメッセージを受信するための受信機と、ワイヤレス通信ネットワークにメッセージを送信するための送信機と、１つまたは複数のプロセッサとを備える応答ワイヤレス局（ＳＴＡ）であって、１つまたは複数のプロセッサは、開始ＳＴＡから受信機において受信された第１のファインタイミング測定（ＦＴＭ）要求メッセージを取得することと、第１のＦＴＭ要求メッセージが、ＦＴＭメッセージの１つまたは複数のバーストを要求し、少なくとも、ＦＴＭメッセージの要求された１つまたは複数のバーストのうちの初期バーストに先行する、応答ＳＴＡからの初期ＦＴＭメッセージの送信と開始ＳＴＡからの後続のＦＴＭ要求メッセージの送信との間の最小時間オフセットを指定する、１つまたは複数のフィールドを備える、第１のＦＴＭ要求メッセージに応答して、送信機を介した、初期ＦＴＭメッセージの送信を開始することとを行うように構成された、応答ＳＴＡを対象とする。
【００１０】
[00015]別の特定の実装形態は、ファインタイミング測定（ＦＴＭ）メッセージの１つまたは複数のバーストを応答ワイヤレス局（ＳＴＡ）に要求する第１のＦＴＭ要求メッセージの送信を開始することと、第１のＦＴＭ要求メッセージが、少なくとも、ＦＴＭメッセージの要求された１つまたは複数のバーストのうちの初期バーストに先行する、応答ＳＴＡからの初期ＦＴＭメッセージの送信と開始ＳＴＡからの第２のＦＴＭ要求メッセージの送信との間の最小時間オフセットを指定する、少なくとも１つのフィールドを備える、第１のＦＴＭ要求メッセージに応答して、開始ＳＴＡにおいて受信され、応答ＳＴＡによって送信された初期ＦＴＭメッセージを取得することとを行うために開始ＳＴＡの１つまたは複数のプロセッサによって実行可能である、その上に記憶されたコンピュータ可読命令を備える非一時的記憶媒体を対象とする。
【００１１】
[00016]別の特定の実装形態は、ファインタイミング測定（ＦＴＭ）メッセージの１つまたは複数のバーストを応答ワイヤレス局（ＳＴＡ）に要求する第１のＦＴＭ要求メッセージを送信するための手段と、第１のＦＴＭ要求メッセージが、少なくとも、ＦＴＭメッセージの要求された１つまたは複数のバーストのうちの初期バーストに先行する、応答ＳＴＡからの初期ＦＴＭメッセージの送信と開始ＳＴＡからの第２のＦＴＭ要求メッセージの送信との間の最小時間オフセットを指定する、少なくとも１つのフィールドを備える、第１のＦＴＭ要求メッセージに応答して、応答ＳＴＡによって送信された初期ＦＴＭメッセージを受信するための手段とを備える開始ＳＴＡを対象とする。
【００１２】
[00017]別の特定の実装形態は、開始ワイヤレス局（ＳＴＡ）から受信された第１のファインタイミング測定（ＦＴＭ）要求メッセージを取得することと、第１のＦＴＭ要求メッセージが、ＦＴＭメッセージの１つまたは複数のバーストを要求し、少なくとも、ＦＴＭメッセージの要求された１つまたは複数のバーストのうちの初期バーストに先行する、応答ＳＴＡからの初期ＦＴＭメッセージの送信と開始ＳＴＡからの後続のＦＴＭ要求メッセージの送信との間の最小時間オフセットを指定する、１つまたは複数のフィールドを備える、第１のＦＴＭ要求メッセージに応答して、初期ＦＴＭメッセージの送信を開始することとを行うために応答ＳＴＡにおける１つまたは複数のプロセッサによって実行可能である、その上に記憶されたコンピュータ可読命令を備える非一時的記憶媒体を対象とする。
【００１３】
[00018]別の特定の実装形態は、開始ワイヤレス局（ＳＴＡ）から第１のファインタイミング測定（ＦＴＭ）要求メッセージを受信するための手段と、第１のＦＴＭ要求メッセージが、ＦＴＭメッセージの１つまたは複数のバーストを要求し、少なくとも、ＦＴＭメッセージの要求された１つまたは複数のバーストのうちの初期バーストに先行する、応答ＳＴＡからの初期ＦＴＭメッセージの送信と開始ＳＴＡからの後続のＦＴＭ要求メッセージの送信との間の最小時間オフセットを指定する、１つまたは複数のフィールドを備える、第１のＦＴＭ要求メッセージに応答して、初期ＦＴＭメッセージを送信するための手段とを備える、応答ＳＴＡを対象とする。
【００１４】
[00019]上述の実装形態は例示的な実装形態にすぎず、請求される主題は、必ずしもこれらの例示的な実装形態の特定の態様に限定されるとは限らないことを理解されたい。
【発明を実施するための形態】
【００１５】
[00020]以下で説明されるように、特定のメッセージフローは、ワイヤレス局（ＳＴＡ）間のメッセージの送信に関してラウンドトリップ時間（ＲＴＴ）の効果的および効率的な測定を可能にし得る。特定の例では、ＳＴＡは、たとえば、モバイルユーザ局（たとえば、スマートフォン、ノートブックコンピュータ、タブレットコンピュータなど）またはワイヤレスサービスアクセスデバイス（たとえば、ワイヤレスローカルエリアネットワーク（ＷＬＡＮ）アクセスポイント、パーソナルエリアネットワーク（ＰＡＮ）またはフェムトセル）など、いくつかのタイプのトランシーバデバイスのうちのいずれか１つを備え得る。特定のメッセージフローとメッセージフレーム中のフィールドは、たとえば、より少ないメッセージを使用してワイヤレスＳＴＡ間の範囲を測定するのに十分な精度でＲＴＴ測定値を取得することを可能にし得る。そのような測定された範囲は、たとえば、測位動作を含むいくつかの適用例のうちのいずれか１つにおいて使用され得る。
【００１６】
[00021]以下で説明されるように、第１のＳＴＡは、第１のＳＴＡがＲＴＴ測定値を取得することを可能にするメッセージまたはフレームの交換のためのプロセスを開始するために、第２のＳＴＡにファインタイミング測定（ＦＴＭ）要求メッセージを送信し得る。特定の実装形態では、ファインタイミング測定要求メッセージは、第１のＳＴＡが測距測定値または範囲を示す他のパラメータを共有することが可能であるかどうかに関する指示を含み得る。特定の実装形態では、ＲＴＴ測定値の算出の後に、第１のＳＴＡは、第２のＳＴＡに、算出された範囲またはＲＴＴ測定値あるいは範囲を示す他のパラメータを備える１つまたは複数のメッセージを送信し得る。これは例示的な実装形態にすぎないこと、および請求される主題はこの点について限定されないことを理解されたい。
【００１７】
[00022]ＲＴＴの測定のためのＳＴＡ間のメッセージの送信は、ほんの数例を挙げると、一般に、音声、ビデオ、ＨＴＴＰ、データなど、他の適用例をサポートする他のメッセージトラフィックに加えて行われる。したがって、高密度動作環境では、ＲＴＴの測定のためのＳＴＡ間のメッセージングは、ワイヤレスリンクリソースのための輻輳および競合を増加させ得る。以下で説明される特定の実装形態では、特定の測位技法は、ＲＴＴを測定するために使用される一般的な技法よりも少数のメッセージを使用して、ＳＴＡ間のメッセージの送信のための飛行時間（ＴＯＦ）を測定することによってサポートされ得る。一実施形態によれば、ＴＯＦは、シーケンス中で近接して送信されるメッセージの「バースト」中の個々のメッセージのために測定され得る。受信されたメッセージのバーストからの複数のＴＯＦ測定値を組み合わせることは、たとえば、測定誤差の低減を可能にし得る。
【００１８】
[00023]特定の実装形態では、第１のＳＴＡから第２のＳＴＡに送信されたメッセージ中のタイムスタンプは、第１のＳＴＡおよび第２のＳＴＡが同期クロックを維持する場合、第２のＳＴＡがメッセージのＴＯＦを測定することを可能にし得る。一例では、ＩＥＥＥ規格８０２．１１ワイヤレスローカルエリアネットワーク（ＷＬＡＮ）において指定されたタイミング同期機能（ＴＳＦ）が、ワイヤレス通信ネットワーク中のデバイス間のタイミング同期を可能にし得る。ＴＳＦは、同じ基本サービスセット（ＢＳ）中の複数のデバイスのためのタイマーを同期された状態に保ち得る。ＳＴＡはローカルＴＳＦタイマーを維持し得る。一実装形態では、タイミング同期は、ＳＴＡがビーコンフレームを通してタイミング情報を周期的に交換することによって達成され得る。独立基本サービスセット（ＩＢＳＳ）中のＳＴＡは、受信タイミングがＳＴＡ自体のＴＳＦタイマーよりも遅い場合、そのタイミングを採用し得る。別の実装形態では、ＳＴＡは、ＴＳＦタイマー値を交換するために、プローブ要求／プローブ応答トランザクションを実行し得る。しかしながら、交換ＴＳＦタイマー値によってＳＴＡを同期させるためのこれらの技法は、ＴＯＦ測定値を取得する際の電力消費およびレイテンシに寄与する。
【００１９】
[00024]一実施形態によれば、図１に示されているように、モバイルデバイス１００ａまたは１００ｂは、ワイヤレス通信ネットワークに無線信号を送信し、ワイヤレス通信ネットワークから無線信号を受信し得る。一例では、モバイルデバイス１００は、ワイヤレス通信リンク１２５を介して、ローカルトランシーバ１１５にワイヤレス信号を送信し、またはローカルトランシーバ１１５からワイヤレス信号を受信することによって、通信ネットワークと通信し得る。
【００２０】
[00025]特定の実装形態では、ローカルトランシーバ１１５は屋内環境中に配置され得る。ローカルトランシーバ１１５は、ワイヤレスローカルエリアネットワーク（ＷＬＡＮ、たとえば、ＩＥＥＥ規格８０２．１１ネットワーク）またはワイヤレスパーソナルエリアネットワーク（ＷＰＡＮ、たとえば、Ｂｌｕｅｔｏｏｔｈ（登録商標）ネットワーク）へのアクセスを与え得る。別の例示的な実装形態では、ローカルトランシーバ１１５は、セルラー通信プロトコルに従うワイヤレス通信リンク１２５上での通信を容易にすることが可能なフェムトセルトランシーバを備え得る。もちろん、これらは、ワイヤレスリンクを介してモバイルデバイスと通信し得るネットワークの例にすぎず、請求される主題は、この点について限定されないことを理解されたい。
【００２１】
[00026]特定の実装形態では、ローカルトランシーバ１１５ａまたは１１５ｂは、リンク１４５を通してネットワーク１３０を介してサーバ１４０、１５０および／または１５５と通信し得る。ここで、ネットワーク１３０は、ワイヤードリンクまたはワイヤレスリンクの任意の組合せを備え得る。特定の実装形態では、ネットワーク１３０は、ローカルトランシーバ１１５を通してモバイルデバイス１００とサーバ１４０、１５０または１５５との間の通信を容易にすることが可能なインターネットプロトコル（ＩＰ）インフラストラクチャを備え得る。別の実装形態では、ネットワーク１３０は、モバイルデバイス１００とのモバイルセルラー通信を容易にするために、ワイヤードまたはワイヤレス通信ネットワークインフラストラクチャを備え得る。
【００２２】
[00027]特定の実装形態では、モバイルデバイス１００またはローカルトランシーバ１１５は、ローカル送信機（たとえば、既知のロケーションに位置するＷＬＡＮアクセスポイン）から収集された信号に少なくとも部分的に基づいて位置フィックスを算出することが可能であり得る。たとえば、受信機デバイス（たとえば、モバイルデバイス１００またはローカルトランシーバ１１５）は、既知のロケーションに位置する３つまたはそれ以上の屋内地上波ワイヤレスアクセスポイントまでの範囲を測定することによって位置フィックスを取得し得る。そのような範囲は、たとえば、そのようなアクセスポイントから受信された信号からＭＡＣ  ＩＤアドレスを取得することと、たとえば、受信信号強度（ＲＳＳＩ）またはＲＴＴなど、そのようなアクセスポイントから受信された信号の１つまたは複数の特性を測定することによってアクセスポイントまでの範囲測定値を取得することとによって測定され得る。代替実装形態では、モバイルデバイス１００は、屋内エリア中の特定のロケーションにおいて予想されるＲＳＳＩおよび／またはＲＴＴシグネチャを示す無線ヒートマップに収集された信号の特性を適用することによって、屋内位置フィックスを取得し得る。特定の実装形態では、無線ヒートマップは、ローカル送信機の識別情報（たとえば、ローカル送信機から収集された信号から識別可能であるＭＡＣアドレス）と、識別されたローカル送信機によって送信された信号からの予想されるＲＳＳＩと、識別された送信機からの予想されるＲＴＴと、場合によってはこれらの予想されるＲＳＳＩまたはＲＴＴからの標準偏差とを関連付け得る。ただし、これらは無線ヒートマップに記憶され得る値の例にすぎず、請求される主題はこの点について限定されないことを理解されたい。
【００２３】
[00028]特定の実装形態では、モバイルデバイス１００またはローカルトランシーバ１１５は、サーバ１４０、１５０または１５５から屋内測位動作のための測位支援データを受信し得る。たとえば、そのような測位支援データは、たとえば、測定されたＲＳＳＩおよび／またはＲＴＴに少なくとも部分的に基づいて既知のロケーションに位置する送信機までの範囲を測定することを可能にするために、これらの送信機のロケーションと識別情報とを含み得る。屋内測位動作を助けるための他の測位支援データは、ほんの数例を挙げると、無線ヒートマップ、磁気ヒートマップ、送信機のロケーションおよび識別情報、ルーティング可能性グラフを含み得る。
【００２４】
[00029]特定の実装形態では、ワイヤレスＳＴＡ間の特定のメッセージフローは、上記で説明された測位動作における使用のために、ＳＴＡ間のメッセージの交換からＲＴＴの測定値を取得するために実装され得る。特定の実装形態では、以下で説明されるように、ＳＴＡは、モバイルデバイス（たとえば、モバイルデバイス１００）または固定トランシーバ（たとえば、ＩＥＥＥ規格８０２．１１アクセスポイント、固定Ｂｌｕｅｔｏｏｔｈデバイス、ローカルトランシーバ１１５など）を備え得る。したがって、ワイヤレスＳＴＡ間のメッセージの交換は、ほんの数例を挙げると、モバイルデバイスと固定トランシーバとの間、２つのピアモバイルデバイス間、または２つの固定トランシーバ間のメッセージの交換を備え得る。特定の実装形態では、本明細書で説明される様々な技法は、ＩＥＥＥ  Ｐ８０２．１１−ＲＥＶｍｃTM／Ｄ４．０  Ｄｒａｆｔ  Ｓｔａｎｄａｒｄ  ８０２．１１  ｆｏｒ  Ｉｎｆｏｒｍａｔｉｏｎ  ｔｅｃｈｎｏｌｏｇｙ−Ｔｅｌｅｃｏｍｍｕｎｉｃａｔｉｏｎｓ  ａｎｄ  ｉｎｆｏｒｍａｔｉｏｎ  ｅｘｃｈａｎｇｅ  ｂｅｔｗｅｅｎ  ｓｙｓｔｅｍｓ，  Ｌｏｃａｌ  ａｎｄ  ｍｅｔｒｏｐｏｌｉｔａｎ  ａｒｅａ  ｎｅｔｗｏｒｋｓ−Ｓｐｅｃｉｆｉｃ  ｒｅｑｕｉｒｅｍｅｎｔｓ  Ｐａｒｔ  １１：  Ｗｉｒｅｌｅｓｓ  ＬＡＮ  Ｍｅｄｉｕｍ  Ａｃｃｅｓｓ  Ｃｏｎｔｒｏｌ  （ＭＡＣ）  ａｎｄ  Ｐｈｙｓｉｃａｌ  Ｌａｙｅｒ  （ＰＨＹ）、２０１５年１月、セクション１０．２４．６（以下「ＩＥＥＥ規格８０２．１１」）の、必ずしもすべてとは限らないが、いくつかの態様または特徴を組み込み得る。実際、本明細書で説明されるいくつかの特徴がＩＥＥＥ規格８０２．１１では図示、説明または教示されていないことを理解されたい。
【００２５】
[00030]図２は、一実施形態による、「応答」ＳＴＡと「開始」ＳＴＡとを含むワイヤレス局ＳＴＡ間のメッセージフローを示す図である。このコンテキストでは、応答ＳＴＡまたは開始ＳＴＡは、モバイルデバイス（たとえば、モバイルデバイス１００）または固定アクセストランシーバデバイス（たとえば、ローカルトランシーバ１１５）を含むいくつかのトランシーバデバイスのうちのいずれか１つを備え得る。ただし、これらは開始ＳＴＡまたは応答ＳＴＡの例にすぎず、請求される主題はこの点について限定されないことを理解されたい。開始ＳＴＡは、開始ＳＴＡと応答ＳＴＡとの間で送信されるメッセージまたはフレームのタイミングに少なくとも部分的に基づいて、ＲＴＴの１つまたは複数の測定値を取得または算出し得る。本明細書で使用される「メッセージ」および「フレーム」という用語は、互換的に使用される。開始ＳＴＡは、応答ＳＴＡにファインタイミング測定要求メッセージまたはフレーム（「要求」）２０２を送信し、応答して送信されたファインタイミング要求メッセージ肯定応答メッセージまたはフレーム（「Ａｃｋ」）２０４を受信し得る。特定の実装形態では、請求される主題をこの点において限定することなしに、そのようなファインタイミング測定要求メッセージ２０２のコンテンツは、ＩＥＥＥ規格８０２．１１においてセクション８．６．８．２５に示されているようなものであり得る。特定の実装形態では、そのようなＡｃｋフレーム２０４は、単に、前に送信されたメッセージの受信の指示を与え得る。開始ＳＴＡは、次いで、応答ＳＴＡから受信された（およびファインタイミング測定要求メッセージの受信に応答して送信された）ファインタイミング測定メッセージまたはフレーム（「Ｍ」）２０６中で与えられたタイムスタンプ値（ｔ１、ｔ４）に少なくとも部分的に基づいて、ＲＴＴ測定値を取得または算出し得る。特定の実装形態では、メッセージフロー図に示されているように、交互ファインタイミング測定メッセージ２０６と、それに続くファインタイミング測定肯定応答メッセージ２０８との複数の交換のシーケンスが、追加のタイムスタンプ値（ｔ１、ｔ２、ｔ３およびｔ４）を作成し得る。
【００２６】
[00031]一実施形態によれば、開始ＳＴＡによって送信されたファインタイミング測定（ＦＴＭ）要求メッセージは、開始ＳＴＡに、開始ＳＴＡがＲＴＴ測定値を算出することを可能にするファインタイミング測定を与えるための、応答ＳＴＡとのメッセージの所望の交換を特徴づけるフィールド、パラメータなどを含み得る。ＦＴＭ要求メッセージの受信に応答して、応答ＳＴＡは、開始ＳＴＡがＲＴＴ、または範囲を示す他のパラメータを算出することを可能にする測定値またはパラメータを含む１つまたは複数のＦＴＭメッセージを開始ＳＴＡに送信し得る。
【００２７】
[00032]特定の実装形態では、請求される主題をこの点において限定することなしに、そのようなファインタイミング測定メッセージまたはフレームのコンテンツは、ＩＥＥＥ規格８０２．１１においてセクション８．６．８．３３に示されているようなものであり得る。例示的な一実装形態では、開始ＳＴＡは、ＲＴＴ測定値を（ｔ４−ｔ１）−（ｔ３−ｔ２）として算出し得、ここで、ｔ２およびｔ３は、それぞれ、前のファインタイミング測定メッセージまたはフレームの受信の時間および先行する肯定応答メッセージまたはフレームの送信の時間である。開始ＳＴＡは、受信ＳＴＡと応答ＳＴＡとの間の範囲を算出する際の不偏測定雑音の除去のために組み合わせられ得る対応する数のＲＴＴ測定値を取得するために、バースト中で一連のファインタイミング測定要求メッセージを送信し得る。
【００２８】
[00033]ＦＴＭ要求メッセージおよびＦＴＭメッセージは、他のサービスのための（たとえば、インターネットプロトコルメッセージングのための）フレームまたはメッセージに加えてＳＴＡによって送信され得る。空港ターミナルまたはスタジアムイベントなど、高密度ワイヤレストラフィックシナリオでは、ＲＴＴの算出のためのＦＴＭ要求メッセージおよびＦＴＭメッセージの送信は、ＳＴＡにおける利用可能なメッセージング容量にストレスを加え得る。本明細書で説明される特定の実装形態は、ＳＴＡによるより少数のメッセージの送信を使用してＳＴＡ間の範囲の算出のための測定値を取得するためのメッセージの交換を対象とし得る。
【００２９】
[00034]以下で説明されるように、開始ＳＴＡと応答ＳＴＡとは、開始ＳＴＡが応答ＳＴＴから開始ＳＴＡに送信されるＦＴＭ測定メッセージの飛行時間（ＴＯＦ）のを正確に測定することを可能にするために、同期され得る。特定の実装形態では、開始ＳＴＡおよび応答ＳＴＡは、互いに同期されたクロック信号を維持し得る。たとえば、開始ＳＴＡおよび／または応答ＳＴＡは、開始ＳＴＡにおいて維持される時間と応答ＳＴＡにおいて維持される時間との間で変換することが可能であり得る。開始ＳＴＡおよび応答ＳＴＡにおいて維持されるクロックは、ＩＥＥＥ規格８０２．１１ＲＥＶｍｃドラフト４．０、セクション１０．２４．５またはＩＥＥＥ規格８０２．１１ＲＥＶｍｃドラフト３．０、セクション１０．２４．６によって提供または提案されたものなど、いくつかの技法のうちのいずれかの１つを使用して同期され得る。ただし、これは開始ＳＴＡを応答ＳＴＡと同期させる際に適用され得る技法の一例にすぎず、請求される主題はこの点について限定されないことを理解されたい。
【００３０】
[00035]一実施形態によれば、送信デバイスからワイヤレス送信され、受信デバイスにおいて収集されたメッセージのＴＯＦは、送信されたメッセージが、送信時間を示すタイムスタンプ値を含む場合、測定され得る。特定の実装形態では、送信されたメッセージは、受信デバイスにおいて検出可能である符号化シンボルを含んでいるフィールド（たとえば、プリアンブル、ヘッダおよびペイロード）を備え得る。送信されたメッセージを収集し、到着時間を決定するために、受信デバイスは、メッセージによって送信されているシンボルのシーケンス中の特定の１つまたは複数のシンボルを検出または復号し得る。特定のシンボルが、同じく送信されたメッセージ中に含まれるタイムスタンプ値を基準とする場合、受信デバイスは、タイムスタンプ値と特定のシンボルが復号または検出された場合との間の異なるに基づいてＴＯＦを測定し得る。
【００３１】
[00036]図３は、応答ＳＴＡによって送信され、受信ＳＴＡにおいて受信されたＦＴＭメッセージのＴＯＦを測定するための技法を示すメッセージフロー図である。最初に、開始ＳＴＡは、特に、１つまたは複数の後続のＦＴＭメッセージの送信を応答ＳＴＡに要求するために、いくつかのフィールドを含む第１のＦＴＭ要求メッセージ３０２を応答ＳＴＡに送信し得る。特定の図示の例では、初期ＦＴＭ要求メッセージ３０２は、時間期間に続いて、後続のＦＴＭメッセージ３０４のバーストを要求し得る。初期ＦＴＭ要求メッセージ３０２に続く（たとえば、セクション１０．２４．６．４または８．６．６．３３においてＩＥＥＥ規格８０２．１１ＲＥＶｍｃドラフト４．０に記載されている）初期ＦＴＭメッセージＦＴＭ＿１  ３０６は、初期ＦＴＭ要求メッセージ３０２中の要求を満たすために、応答ＳＴＡによってスケジュールされた特定のアクションを指定し得る。たとえば、初期ＦＴＭメッセージＦＴＭ＿１  ３０６は、応答ＳＴＡが、開始ＳＴＡが初期ＦＴＭ要求メッセージ３０２中で要求するものの全体を実現することが可能でない場合、代替アクションを指定し得る。
【００３２】
[00037]一実施形態によれば、応答ＳＴＡは、受信側開始ＳＴＡ（たとえば、初期ＦＴＭ要求メッセージを送信する開始ＳＴＡ）から肯定応答メッセージを受信することの不在下で、初期ＦＴＭメッセージＦＴＭ＿１  ３０６を再送信し得る。たとえば、初期ＦＴＭメッセージＦＴＭ＿１  ３０６の送信に続いて、応答ＳＴＡは、開始ＳＴＡからの肯定応答メッセージ３０８の受信のために、設定されたタイムアウト期間待ち得る。開始ＳＴＡからのそのような肯定応答メッセージ３０８の受信の不在下ではでは、応答ＳＴＡは、初期ＦＴＭメッセージＦＴＭ＿１  ３０６を再送信し得る。これは、応答ＳＴＡが初期ＦＴＭメッセージＦＴＭ＿１  ３０６に応答して開始ＳＴＡから送信された肯定応答メッセージ３０８を受信するまで、または初期ＦＴＭメッセージＦＴＭ＿１  ３０６の設定された数（たとえば、１６個）の再送信まで続き得る。ＦＴＭメッセージ３０４の送信および／またはＦＴＭメッセージの後続のバースト中のＦＴＭメッセージの送信に続いて、開始ＳＴＡは、たとえば、ＴＯＦを算出し得る。
【００３３】
[00038]図４および図５は、それぞれ、開始ＳＴＡまたは応答ＳＴＡにおいて実行され得るプロセスを示す流れ図である。ブロック４０２において、開始ＳＴＡは、ＦＴＭメッセージの１つまたは複数のバーストを応答ＳＴＡに要求する、ＦＴＭ要求メッセージ３０２など、第１のＦＴＭ要求メッセージを送信する。ブロック４０２において送信される第１のＦＴＭ要求メッセージは、少なくとも、ＦＴＭメッセージ３０４など、ＦＴＭメッセージの要求された１つまたは複数のバーストのうちの初期バーストに先行する、応答ＳＴＡからの初期ＦＴＭメッセージの送信と、開始ＳＴＡからの、ＦＴＭ要求メッセージ３１０など、第２のＦＴＭ要求メッセージの送信との間の最小時間オフセットを指定する、少なくとも１つのフィールドを備え得る。ブロック４０４において、開始ＳＴＡは、第１のＦＴＭ要求メッセージに応答して、ＦＴＭメッセージＦＴＭ＿１  ３０６など、初期ＦＴＭメッセージを受信する。
【００３４】
[00039]ブロック４０２における最小時間オフセットが、ＦＴＭメッセージＦＴＭ＿１  ３０６の送信の時間とＦＴＭ要求メッセージ３１０の送信の時間との間の持続時間「バーストオフセット」として、図３中の非限定的な例によって示され得る。このコンテキストでは、「最小時間オフセット」は、所定の開始または終了を有しない持続時間である。最小時間オフセットは、図３の例におけるＦＴＭメッセージＦＴＭ＿１  ３０６の送信の時間など、特定の参照されたイベントに続く最小時間を定義する。ブロック４０２において送信された第１のＦＴＭ要求メッセージ中で指定されたこの最小時間オフセットは、第２のＦＴＭ要求メッセージ（たとえば、ＦＴＭメッセージＦＴＭ＿１  ３０６）の送信がその後に行われ得る特定の時間（たとえば、ＴＳＦタイマー値）を与えることとは対照的である。以下で説明されるように、これは、（たとえば、第１のＦＴＭ要求メッセージ中で与えられた部分ＴＳＦタイマー値を較正するために）開始ＳＴＡおよび応答ＳＴＡにおいて維持されるクロックを同期させるための必要を低減または除去し得る。
【００３５】
[00040]ブロック５０２において、応答ＳＴＡは、ＦＴＭ要求メッセージ３０２など、ブロック４０２において開始ＳＴＡによって送信されたＦＴＭ要求メッセージを受信する。ブロック５０４において、応答ＳＴＡは、ＦＴＭメッセージの受信に応答して、ＦＴＭメッセージＦＴＭ＿１  ３０６など、初期ＦＴＭメッセージを送信する。
【００３６】
[00041]図６は、一実施形態による、ＦＴＭ要求メッセージのためのフィールドの一例を示す。フィールドの中でも、図６は、開始ＳＴＡが、応答ＳＴＡの要求されるべき後続のＦＴＭメッセージ送信の１つまたは複数の態様を指定することを可能にし得るＦＴＭ要求メッセージ（たとえば、図３中のＦＴＭ要求メッセージ３０２）中のＦＴＭパラメータフィールドを示す。たとえば、図７は、特定の実装形態による、ＦＴＭ要求メッセージ（たとえば、図３中のＦＴＭ要求メッセージ３０２）中のＦＴＭパラメータフィールド内のフィールドの一例を示す。たとえば、図７に示されているフィールドは、ほんの数例を挙げると、開始ＳＴＡが、たとえば、バーストの数、バースト持続時間、バーストオフセットを含む、ＦＴＭメッセージのバーストの態様を指定することを可能にし得る。上記で指摘されたように、初期ＦＴＭメッセージＦＴＭ＿１（たとえば、図３に示されている初期ＦＴＭメッセージＦＴＭ＿１  ３０６）は、たとえば、応答ＳＴＡが、開始ＳＴＡが初期ＦＴＭ要求メッセージ中で要求するものの全体を実現することが可能でない場合、代替アクションを指定し得る。特定の一実装形態では、初期ＦＴＭメッセージＦＴＭ＿１は、応答ＳＴＡが、ＦＴＭ要求メッセージを満たすためのアクションをそれの下でスケジュールすべきである特定のパラメータを示すために、図７に示されているフィールドと同様のフィールドを指定し得る。
【００３７】
[00042]上記で指摘されたように、（図７に示されているように）開始ＳＴＡから送信された初期ＦＴＭ要求メッセージ中のフィールドバーストオフセットにおいて指定された値は、応答ＳＴＡからの初期ＦＴＭ応答メッセージの送信と開始ＳＴＡからの第２のＦＴＭ要求メッセージの送信との間の最小時間オフセットを指定し得る。上記の図３の特定の実施形態において指摘されたように、応答ＳＴＡは、応答ＳＴＡが初期ＦＴＭメッセージＦＴＭ＿１の最後の再送信の受信の肯定応答を受信するまで、初期ＦＴＭメッセージＦＴＭ＿１を再送信し得る。ここで、図３の特定の実施形態では、たとえば、フィールドバーストオフセットにおいて指定された値は、肯定応答メッセージが応答ＳＴＡにおいてそれのために受信される初期ＦＴＭ要求メッセージＦＴＭ＿１の最後の送信の送信間の最小時間を示し得る。例示的な一実装形態では、バーストオフセットフィールド中の値によって指定された期間は、応答ＳＴＡが、続くバースト中でＦＴＭメッセージを与えることに備えてリソースをタスクに割り振ることを可能にし得る。
【００３８】
[00043]特定の実装形態では、図７に示されているＦＴＭ要求メッセージ中の上述のバーストオフセットフィールドの使用は、バーストが開始すべきである特定の時間を示すための部分ＴＳＦタイマーの必要使用を低減または除去し得る。したがって、特定のクロックに同期される（たとえば、開始ＳＴＡにおけるクロックまたは応答ＳＴＡにおけるクロックのいずれかに同期される）バーストオフセットフィールド中の値を与える必要がないことがある。特定の一実装形態では、フィールドバーストオフセット中の値は１．０ｍｓまたはＴＵ（１０２４μｓ）の単位で指定され得る。
【００３９】
[00044]特定の実装形態では、および図７の実装形態に示されているように、初期ＦＴＭ要求メッセージは、バーストオフセット有効フィールドを備え得る。ここで、バーストオフセット有効フィールドはシングルビットを備え得、バーストオフセット有効フィールド中の値を指定することは、ビット２４〜３９におけるフィールドが（たとえば、部分ＴＳＦタイマー値の代わりに）バーストオフセットのための値を指定するか否かを示すフレキシビリティを可能にし得る。特定の一実装形態では、ビット７は、フィールドバーストオフセットが有効にされるか、無効にされるかを指定し得る。たとえば、ビット７（バーストオフセット有効）＝真（TRUE）である場合、ビット２４〜３９はバーストオフセットのための値を指定し得る。一方、ビット７＝偽（FALSE）である場合、ビット２４〜３９は部分ＴＳＦタイマーのための値を指定し得る。
【００４０】
[00045]上記で指摘されたように、（たとえば、図３に示されているように）応答ＳＴＡから送信された初期ＦＴＭメッセージＦＴＭ＿１は、応答ＳＴＡが、初期ＦＴＭ要求メッセージを満たすためのアクションをそれの下でスケジュールすべきである特定の要求されたパラメータを示すために、図７に示されているフィールドと同様のフィールドを指定し得る。一実施形態によれば、開始ＳＴＡは、最も最近送信されたＦＴＭ要求メッセージ中で（たとえば、最も最近送信された初期ＦＴＭ要求メッセージとともに）与えられた要求されたパラメータと、初期ＦＴＭメッセージＦＴＭ＿１中の代替パラメータを比較し得る（たとえば、一実施形態では、パラメータは、バースト持続時間または最小デルタＦＴＭあるいはそれらの組合せを備え得る。一実施形態では、他のパラメータが比較され得る）。ここで、比較されたパラメータが開始ＳＴＡに一致するかまたは許容できる場合、開始ＳＴＡは、バーストオフセットのための指定された期間が満了するまで待ち、バースト中のＦＴＭメッセージの送信を開始するためにＦＴＭ要求メッセージを送信し得る。他の場合、比較された要求された代替パラメータが開始ＳＴＡに一致せず、許容できない場合、開始ＳＴＡは、初期ＦＴＭ要求メッセージを消去するように設定されたトリガフィールドをもつＦＴＭメッセージ（たとえば、図６に示されている初期ＦＴＭメッセージＦＴＭ＿１  ３０６）を送信し得る。開始ＳＴＡは、次いで、応答ＳＴＡに、異なるＦＴＭパラメータをもつ新しい初期ＦＴＭ要求メッセージを送信し得る。
【００４１】
[00046]一実施形態よれば、応答ＳＴＡは、既存の現在の初期ＦＴＭ要求メッセージネゴシエーションが完了するか、または失敗する／消去されるまで、真に設定されたトリガフィールドをもつすべての着信初期ＦＴＭ要求メッセージを拒否し得る。ここで、既存の現在の初期ＦＴＭ要求メッセージのネゴシエーションは、開始ＳＴＡが初期ＦＴＭメッセージＦＴＭ＿１にＡＣＫメッセージで応答したとき、完了したと見なされ得る。初期ＦＴＭメッセージＦＴＭ＿１に対するＡＣＫメッセージの受信の不在下で、応答ＳＴＡ。初期ＦＴＭメッセージＦＴＭ＿１がその後肯定応答されない場合、初期ＦＴＭメッセージＦＴＭ＿１は、ＦＴＭパラメータＩＥ中のステータス指示フィールド（ｂ０〜ｂ１）を介してネゴシエーション失敗を示すために、異なる対話トークンを用いて再送信され得る。これは、応答ＳＴＡがそれを失敗と見なし、停止するまで有限回数繰り返される。
【００４２】
[00047]別の特定の実施形態では、初期ＦＴＭメッセージＦＴＭ＿１の受信に応答して、開始ＳＴＡによる肯定応答メッセージの送信に続いて、開始ＳＴＡは低減電力状態（たとえば、スリープ状態）に遷移し得る。開始ＳＴＡは、次いで、バーストオフセットフィールドにおいて指定された最小時間オフセットの終了より前に、低減電力状態から全電力状態に遷移し得る。
【００４３】
[00048]図８は、一実施形態による、モバイルデバイスの概略図である。モバイルデバイス１００（図１）は、図８に示されているモバイルデバイス１１００の１つまたは複数の特徴を備え得る。いくつかの実施形態では、モバイルデバイス１１００はまた、ワイヤレス通信ネットワーク上でワイヤレスアンテナ１１２２を介してワイヤレス信号１１２３を送信および受信することが可能であるワイヤレストランシーバ１１２１を備え得る。ワイヤレストランシーバ１１２１はワイヤレストランシーババスインターフェース１１２０によってバス１１０１に接続され得る。ワイヤレストランシーババスインターフェース１１２０は、いくつかの実施形態では、ワイヤレストランシーバ１１２１と少なくとも部分的に統合され得る。いくつかの実施形態は、たとえば、ほんの数例を挙げると、ＩＥＥＥ規格８０２．１１のバージョン、ＣＤＭＡ、ＷＣＤＭＡ（登録商標）、ＬＴＥ（登録商標）、ＵＭＴＳ、ＧＳＭ（登録商標）、ＡＭＰＳ、Ｚｉｇｂｅｅ（登録商標）およびＢｌｕｅｔｏｏｔｈなど、対応する複数のワイヤレス通信規格に従って、信号を送信および／または受信することを可能にするために、複数のワイヤレストランシーバ１１２１とワイヤレスアンテナ１１２２とを含み得る。
【００４４】
[00049]モバイルデバイス１１００はまた、ＳＰＳアンテナ１１５８を介してＳＰＳ信号１１５９を受信および収集することが可能なＳＰＳ受信機１１５５を備え得る。ＳＰＳ受信機１１５５はまた、モバイルデバイス１０００のロケーションを推定するために、収集されたＳＰＳ信号１１５９を全体的にまたは部分的に処理し得る。いくつかの実施形態では、（１つまたは複数の）汎用プロセッサ１１１１、メモリ１１４０、（１つまたは複数の）ＤＳＰ１１１２および／または専用プロセッサ（図示せず）も、ＳＰＳ受信機１１５５とともに、収集されたＳＰＳ信号を全体的にまたは部分的に処理し、および／またはモバイルデバイス１１００の推定ロケーションを計算するために利用され得る。測位動作を実行する際の使用のためのＳＰＳまたは他の信号の記憶は、メモリ１１４０またはレジスタ（図示せず）中で実行され得る。
【００４５】
[00050]また、図９に示されている、モバイルデバイス１１００は、バスインターフェース１１１０によってバス１１０１に接続された（１つまたは複数の）デジタル信号プロセッサ（（１つまたは複数の）ＤＳＰ）１１１２と、バスインターフェース１１１０によってバス１１０１に接続された（１つまたは複数の）汎用プロセッサ１１１１と、メモリ１１４０とを備え得る。バスインターフェース１１１０は、（１つまたは複数の）ＤＳＰ１１１２、（１つまたは複数の）汎用プロセッサ１１１１およびメモリ１１４０と統合され得る。様々な実施形態では、ほんの数例を挙げると、ＲＡＭ、ＲＯＭ、ＦＬＡＳＨ、またはディスクドライブなど、コンピュータ可読記憶媒体上になど、メモリ１１４０に記憶された１つまたは複数の機械可読命令の実行応答して、機能が実行され得る。１つまたは複数の命令は、（１つまたは複数の）汎用プロセッサ１１１１、専用プロセッサ、または（１つまたは複数の）ＤＳＰ１１１２によって実行可能であり得る。メモリ１１４０は、本明細書で説明される機能を実行するために（１つまたは複数の）プロセッサ１１１１および／または（１つまたは複数の）ＤＳＰ１１１２によって実行可能であるソフトウェアコード（プログラミングコード、命令など）を記憶する非一時的プロセッサ可読メモリおよび／またはコンピュータ可読メモリを備え得る。特定の実装形態では、ワイヤレストランシーバ１１２１は、上記で説明されたように、モバイルデバイス１１００がワイヤレスＳＴＡとして構成されることを可能にするために、バス１１０１を通して（１つまたは複数の）汎用プロセッサ１１１１および／または（１つまたは複数の）ＤＳＰ１１１２と通信し得る。（１つまたは複数の）汎用プロセッサ１１１１および／または（１つまたは複数の）ＤＳＰ１１１２は、図３および図４に関して上記で説明されたプロセス、あるいは図５に示されているアクションの１つまたは複数の態様を実行するようにとの命令を実行し得る。
【００４６】
[00051]特定の一実装形態では、ＦＴＭ測定要求メッセージに応答したＡＣＫメッセージの送信が、（１つまたは複数の）汎用プロセッサ１１１１または（１つまたは複数の）ＤＳＰ１１１２からの命令または開始なしに、ワイヤレストランシーバデバイス１１２１によって実行され得る。一方、ＦＴＭ範囲報告メッセージが、（たとえば、メモリ１１４０に記憶された１つまたは複数の機械可読命令の実行から）（１つまたは複数の）汎用プロセッサ１１１１および／または（１つまたは複数の）ＤＳＰ１１１２など、プログラマブルデバイスにおいて形成され得る。一実施形態では、図２および図３中のメッセージングおよび図４および図５の方法は、図８の装置によって実行され得る。
【００４７】
[00052]また、図８に示されている、ユーザインターフェース１１３５は、たとえば、ほんの数例を挙げると、スピーカー、マイクロフォン、ディスプレイデバイス、振動デバイス、キーボード、タッチスクリーンなど、いくつかのデバイスのうちのいずれか１つを備え得る。特定の実装形態では、ユーザインターフェース１１３５は、ユーザがモバイルデバイス１１００上にホストされた１つまたは複数のアプリケーションと対話することを可能にし得る。たとえば、ユーザインターフェース１１３５のデバイスは、ユーザからのアクションに応答して（１つまたは複数の）ＤＳＰ１１１２または汎用／アプリケーションプロセッサ１１１１によってさらに処理されるべきアナログ信号またはデジタル信号をメモリ１１４０に記憶し得る。同様に、モバイルデバイス１１００上にホストされたアプリケーションは、出力信号をユーザに提示するためにアナログまたはデジタル信号をメモリ１１４０に記憶し得る。別の実装形態では、モバイルデバイス１１００は、たとえば、専用スピーカー、マイクロフォン、デジタルアナログ回路、アナログデジタル回路、増幅器、および／または利得制御を備える専用オーディオ入出力（Ｉ／Ｏ）デバイス１１７０を随意に含み得る。ただし、これは、オーディオＩ／Ｏがモバイルデバイスにおいてどのように実装され得るかの一例にすぎず、請求される主題はこの点について限定されないことを理解されたい。別の実装形態では、モバイルデバイス１１００は、キーボードまたはタッチスクリーンデバイスにタッチすること、またはそれに対する圧力に応答するタッチセンサー１１６２を備え得る。
【００４８】
[00053]モバイルデバイス１１００はまた、静止画または動画をキャプチャするための専用カメラデバイス１１６４を備え得る。専用カメラデバイス１１６４は、たとえば、ほんの数例を挙げると、イメージングセンサー（たとえば、電荷結合デバイスまたはＣＭＯＳイメージャ）、レンズ、アナログデジタル回路、フレームバッファを備え得る。一実装形態では、キャプチャされた画像を表す信号の追加の処理、調整、符号化または圧縮が、汎用／アプリケーションプロセッサ１１１１または（１つまたは複数の）ＤＳＰ１１１２において実行され得る。代替的に、専用ビデオプロセッサ１１６８が、キャプチャされた画像を表す信号の調整、符号化、圧縮または操作を実行し得る。さらに、専用ビデオプロセッサ１１６８は、モバイルデバイス１１００上のディスプレイデバイス（図示せず）上での提示のために記憶された画像データを復号／復元し得る。
【００４９】
[00054]モバイルデバイス１１００は、たとえば、慣性センサーおよび環境センサーを含み得る、バス１１０１に結合されたセンサー１１６０をも備え得る。センサー１１６０の慣性センサーは、たとえば、（たとえば、３次元におけるモバイルデバイス１１００の加速度にまとめて応答する）加速度計、（たとえば、１つまたは複数のコンパスアプリケーションをサポートするための）１つまたは複数のジャイロスコープまたは１つまたは複数の磁力計を備え得る。モバイルデバイス１１００の環境センサーは、たとえば、ほんの数例を挙げると、温度センサー、気圧センサー、周辺光センサー、カメライメージャ、マイクロフォンを備え得る。センサー１１６０は、メモリ１１４０に記憶され、たとえば、測位またはナビゲーション動作を対象とするアプリケーションなど、１つまたは複数のアプリケーションをサポートする（１つまたは複数の）ＤＰＳまたは汎用／アプリケーションプロセッサ１１１１によって処理され得る、アナログ信号またはデジタル信号を生成し得る。
【００５０】
[00055]特定の実装形態では、モバイルデバイス１１００は、ワイヤレストランシーバ１１２１またはＳＰＳ受信機１１５５において受信され、ダウンコンバートされた信号のベースバンド処理を実行することが可能な専用モデムプロセッサ１１６６を備え得る。同様に、専用モデムプロセッサ１１６６は、ワイヤレストランシーバ１１２１による送信のためにアップコンバートされるべき信号のベースバンド処理を実行し得る。代替実装形態では、専用モデムプロセッサを有する代わりに、ベースバンド処理は汎用プロセッサまたはＤＳＰ（たとえば、汎用／アプリケーションプロセッサ１１１１または（１つまたは複数の）ＤＳＰ１１１２）によって実行され得る。ただし、これらはベースバンド処理を実行し得る構造の例にすぎず、請求される主題はこの点について限定されないことを理解されたい。
【００５１】
[00056]図９は、たとえば、図１に関して上記で説明された技法またはプロセスを実装するように構成可能な１つまたは複数のデバイスを含み得る例示的なシステム１８００を示す概略図である。システム１８００は、たとえば、ワイヤレス通信ネットワークを通して互いに動作可能に結合され得る第１のデバイス１８０２と、第２のデバイス１８０４と、第３のデバイス１８０６とを含み得る。一態様では、第１のデバイス１８０２は、たとえば、図示のようにアクセスポイントを備え得る。一態様では、第２のデバイス１８０４はアクセスポイント（たとえば、ローカルトランシーバ１１５または基地局トランシーバ１１０）を備え得、第３のデバイス１８０６は移動局またはモバイルデバイスを備え得る。また、一態様では、デバイス１８０２、１８０４および１８０２は、たとえば、１つまたは複数のワイヤレスアクセスポイントを備え得るワイヤレス通信ネットワーク中に含まれ得る。ただし、請求される主題はこれらの点で範囲が限定されない。
【００５２】
[00057]図８に示されている第１のデバイス１８０２、第２のデバイス１８０４および第３のデバイス１８０６は、ワイヤレス通信ネットワークを介してデータを交換するように構成可能であり得る任意のデバイス、アプライアンスまたは機械を表し得る。限定ではなく例として、第１のデバイス１８０２、第２のデバイス１８０４、または第３のデバイス１８０６のいずれも、たとえば、デスクトップコンピュータ、ラップトップコンピュータ、ワークステーション、サーバデバイスなど、１つまたは複数のコンピューティングデバイスまたはプラットフォーム、たとえば、携帯情報端末、モバイル通信デバイスなど、１つまたは複数のパーソナルコンピューティングまたは通信デバイスまたはアプライアンス、たとえば、データベースまたはデータ記憶サービスプロバイダ／システム、ネットワークサービスプロバイダ／システム、インターネットまたはイントラネットサービスプロバイダ／システム、ポータルまたは検索エンジンサービスプロバイダ／システム、ワイヤレス通信サービスプロバイダ／システムなど、コンピューティングシステムまたは関連するサービスプロバイダ機能、あるいはそれらの任意の組合せを含み得る。第１のデバイス１８０２、第２のデバイス１８０４、および第３のデバイス１８０６のいずれも、本明細書で説明される例によるアクセスポイントまたはモバイルデバイスのうちの１つまたは複数を備え得る。
【００５３】
[00058]同様に、図８に示されているワイヤレス通信ネットワークは、第１のデバイス１８０２、第２のデバイス１８０４、および第３のデバイス１８０６のうちの少なくとも２つの間でのデータの交換をサポートするように構成可能な１つまたは複数の通信リンク、プロセス、またはリソースを表す。限定ではなく例として、ワイヤレス通信ネットワークは、ワイヤレスまたはワイヤード通信リンク、電話または電気通信システム、データバスまたはチャネル、光ファイバー、地上またはスペースビークルリソース、ローカルエリアネットワーク、ワイドエリアネットワーク、イントラネット、インターネット、ルータまたはスイッチなど、あるいはそれらの任意の組合せを含み得る。たとえば、第３のデバイス１８０６の部分的に不明瞭にされたものとして示されている破線ボックスによって示されるように、ワイヤレス通信ネットワーク１８０８に動作可能に結合された追加の同様のデバイスがあり得る。
【００５４】
[00059]図８に示されている様々なデバイスおよびネットワーク、ならびに本明細書でさらに説明されるプロセスおよび方法の全部または一部は、ハードウェア、ファームウェア、ソフトウェア、またはそれらの任意の組合せを使用して、またはさもなければ含めて実装され得ることを認識されたい。
【００５５】
[00060]したがって、限定ではなく例として、第２のデバイス１８０４は、バス１８２８を通してメモリ１８２２に動作可能に結合された少なくとも１つの処理ユニット１８２０を含み得る。
【００５６】
[00061]処理ユニット１８２０は、データ算出手順またはプロセスの少なくとも一部分を実行するように構成可能な１つまたは複数の回路を表す。限定ではなく例として、処理ユニット１８２０は、１つまたは複数のプロセッサ、コントローラ、マイクロプロセッサ、マイクロコントローラ、特定用途向け集積回路、デジタル信号プロセッサ、プログラマブル論理デバイス、フィールドプログラマブルゲートアレイなど、またはそれらの任意の組合せを含み得る。
【００５７】
[00062]メモリ１８２２は任意のデータ記憶機構を表す。メモリ１８２２は、たとえば、１次メモリ１８２４または２次メモリ１８２６を含み得る。１次メモリ１８２４は、たとえば、ランダムアクセスメモリ、読取り専用メモリなどを含み得る。この例では処理ユニット１８２０とは別個であるものとして示されているが、１次メモリ１８２４の全部または一部は、処理ユニット１８２０内に設けられるか、またはさもなければ処理ユニット１８２０と共設／結合され得ることを理解されたい。特定の一実装形態では、メモリ１８２２および処理ユニット１８２０は、図４および図５に関して上記で説明されたプロセスの１つまたは複数の態様を実行するように構成され得る。
【００５８】
[00063]２次メモリ１８２６は、たとえば、１次メモリと同じまたは同様のタイプのメモリ、あるいは、たとえば、ディスクドライブ、光ディスクドライブ、テープドライブ、ソリッドステートメモリドライブなど、１つまたは複数のデータストレージデバイスまたはシステムを含み得る。いくつかの実装形態では、２次メモリ１８２６は、コンピュータ可読媒体１８４０を動作可能に受容可能であるか、またはさもなければそれに結合するように構成可能であり得る。コンピュータ可読媒体１８４０は、たとえば、システム１８００中のデバイスのうちの１つまたは複数のためにデータ、コードまたは命令を搬送するかまたはアクセス可能にすることができる任意の非一時的媒体を含み得る。コンピュータ可読媒体１８４０は記憶媒体と呼ばれることもある。
【００５９】
[00064]第２のデバイス１８０４は、たとえば、少なくともアンテナ１８０８を介したワイヤレス通信ネットワークへの第２のデバイス１８０４の動作可能な結合を与えるか、またはさもなければそれをサポートする通信インターフェース１８３０を含み得る。限定ではなく例として、通信インターフェース１８３０は、ネットワークインターフェースデバイスまたはカード、モデム、ルータ、スイッチ、トランシーバなど、あるいはそれらの組合せを含み得る。他の代替実装形態では、通信インターフェース１８３０は、ワイヤード／ＬＡＮインターフェース、ワイヤレスＬＡＮインターフェース（たとえば、ＩＥＥＥ規格８０２．１１ワイヤレスインターフェース）および／またはワイドエリアネットワーク（ＷＡＮ）エアインターフェースを備え得る。特定の実装形態では、通信インターフェース１８３０と組み合わせたアンテナ１８０８は、図２および図３に示されている信号の送信および受信、または図４および図５に関して実行されるアクションを実装するために使用され得る。
【００６０】
[00065]特定の一実装形態では、ＦＴＭ測定要求メッセージに応答したＡＣＫメッセージの送信が、処理ユニット１８３０からの命令または開始なしに、通信インターフェース１８３０において実行され得る。一方、ＦＴＭ範囲報告メッセージが、（たとえば、メモリ１８２０に記憶された１つまたは複数の機械可読命令の実行から）処理ユニット１８２０など、プログラマブルデバイスにおいて形成され得る。一実施形態では、図２および図３中のメッセージングおよび図４および図５の方法は、図９の装置、たとえば、アクセスポイント１８０４によって実行され得る。
【００６１】
[00066]本明細書で使用される「アクセスポイント」という用語は、たとえば、ワイヤレスローカルエリアネットワークなど、ワイヤレス通信システムにおける通信を容易にするために使用される任意のワイヤレス通信局および／またはデバイスを含むように意図されるが、請求される主題の範囲はこの点について限定されない。別の態様では、アクセスポイントは、たとえば、ワイヤレスローカルエリアネットワーク（ＷＬＡＮ）アクセスポイントを備え得る。そのようなＷＬＡＮは、一態様では、ＩＥＥＥ規格８０２．１１の１つまたは複数のバージョンと互換性のあるおよび／またはそれに準拠するネットワークを備え得るが、請求される主題の範囲はこの点について限定されない。ＷＬＡＮアクセスポイントは、たとえば、１つまたは複数のモバイルデバイスとインターネットなどのネットワークとの間の通信を与え得る。
【００６２】
[00067]本明細書で使用される「モバイルデバイス」という用語は、変化する位置ロケーションを時々有し得るデバイスを指す。位置ロケーションの変化は、いくつかの例として、方向、距離、向きなどに対する変化を備え得る。特定の例では、モバイルデバイスは、セルラー電話、ワイヤレス通信デバイス、ユーザ機器、ラップトップコンピュータ、他のパーソナル通信システム（ＰＣＳ）デバイス、携帯情報端末（ＰＤＡ）、パーソナルオーディオデバイス（ＰＡＤ）、ポータブルナビゲーションデバイス、および／または他のポータブル通信デバイスを備え得る。モバイルデバイスは、機械可読命令によって制御される機能を実行するように適応されたプロセッサおよび／またはコンピューティングプラットフォームをも備え得る。
【００６３】
[00068]本明細書で説明された方法は、特定の例に従って適用例に応じて様々な手段によって実装され得る。たとえば、そのような方法は、ハードウェア、ファームウェア、ソフトウェア、またはそれらの組合せで実装され得る。ハードウェア実装形態では、たとえば、処理ユニットは、１つまたは複数の特定用途向け集積回路（「ＡＳＩＣ」）、デジタル信号プロセッサ（「ＤＳＰ」）、デジタル信号処理デバイス（「ＤＳＰＤ」）、プログラマブル論理デバイス（「ＰＬＤ」）、フィールドプログラマブルゲートアレイ（「ＦＰＧＡ」）、プロセッサ、コントローラ、マイクロコントローラ、マイクロプロセッサ、電子デバイス、本明細書で説明された機能を実行するように設計された他のデバイスユニット、またはそれらの組合せ内に実装され得る。
【００６４】
[00069]アルゴリズム記述および／または記号表現は、信号処理および／または関連技術の当業者によって、自身の仕事の本質を他の当業者に伝達するために使用される技法の例である。アルゴリズムは、本明細書では、および一般には、所望の結果をもたらす自己無撞着な一連の演算および／または同様の信号処理であると考えられる。このコンテキストでは、演算および／または処理は物理量の物理的操作を伴う。一般に、必ずしもそうとは限らないが、そのような量は、信号測定値、テキスト、画像、ビデオ、オーディオなど、様々な形態のコンテンツを表す電子信号および／または状態として記憶、転送、合成、比較、処理、またはさもなければ操作されることが可能な電気および／または磁気信号および／または状態の形態をとり得る。主に一般的な用法という理由で、そのような物理的信号および／または物理的状態を、ビット、値、要素、記号、文字、項、数、数字、メッセージ、フレーム、測定値、コンテンツなどと呼ぶことが時々便利であることがわかっている。ただし、これらおよび／または同様の用語のすべては、適切な物理量に関連付けられるべきであり、便利なラベルにすぎないことを理解されたい。別段に明記されていない限り、上記の説明から明らかなように、本明細書全体にわたって、「処理すること」、「算出すること」、「計算すること」、「決定すること」、「確立すること」、「取得すること」、「識別すること」、「選択すること」、「生成すること」などの用語を利用する説明は、専用コンピュータならびに／あるいは同様の専用コンピューティングおよび／またはネットワークデバイスなど、特定の装置のアクションおよび／またはプロセスを指すことがあることを諒解されたい。したがって、本明細書のコンテキストでは、専用コンピュータならびに／あるいは同様の専用コンピューティングおよび／またはネットワークデバイスは、専用コンピュータならびに／あるいは同様の専用コンピューティングおよび／またはネットワークデバイスのメモリ、レジスタ、および／または他のストレージデバイス、送信デバイス、および／またはディスプレイデバイス内の、電子的および／または磁気的な物理量として一般に表される信号および／または状態を処理、操作および／または変換することが可能である。この特定の特許出願のコンテキストでは、上述のように、「特定の装置」という用語は、プログラムソフトウェアからの命令に従って特定の機能を実行するようにプログラムされた後の汎用コンピュータなど、汎用コンピューティングおよび／またはネットワークデバイスを含み得る。
【００６５】
[00070]いくつかの状況では、バイナリ１からバイナリ０への、またはその逆の状態の変化など、メモリデバイスの動作は、たとえば、物理的変換などの変換を備え得る。特定のタイプのメモリデバイスでは、そのような物理的変換は、異なる状態または物への物品の物理的変換を備え得る。たとえば、限定はしないが、いくつかのタイプのメモリデバイスの場合、状態の変化は、電荷の累積および／または蓄積、あるいは蓄積された電荷の解放を伴い得る。同様に、他のメモリデバイスでは、状態の変化は、磁気方位の変換、および／あるいは、結晶状からアモルファスへの、またはその逆などの、分子構造の物理的変化および／または変換など、物理的変化を備え得る。さらに他のメモリデバイスでは、物理的状態の変化は、たとえば、量子ビット（キュビット）を伴い得る、重ね合わせ、絡み合いなど、量子力学的現象を伴い得る。上記は、メモリデバイスにおけるバイナリ１からバイナリ０への、またはその逆の状態の変化が物理的変換などの変換を備え得る、すべての例の網羅的なリストであることを意図されない。むしろ、上記は例示的な例として意図される。
【００６６】
[00071]本明細書で説明されたワイヤレス通信技法は、ワイヤレスワイドエリアネットワーク（「ＷＷＡＮ」）、ワイヤレスローカルエリアネットワーク（「ＷＬＡＮ」）、ワイヤレスパーソナルエリアネットワーク（ＷＰＡＮ）などの様々なワイヤレス通信ネットワークに関連し得る。このコンテキストでは、「ワイヤレス通信ネットワーク」は、１つまたは複数のワイヤレス通信リンクを通して互いと通信することが可能な複数のデバイスまたはノードを備える。たとえば、図１に示されているように、ワイヤレス通信ネットワークは、モバイルデバイス１００ａ、１００ｂ、１１５ａおよび１１５ｂからの２つまたはそれ以上のデバイスを備え得る。「ネットワーク」および「システム」という用語は、本明細書では互換的に使用され得る。ＷＷＡＮは、符号分割多元接続（「ＣＤＭＡ」）ネットワーク、時分割多元接続（「ＴＤＭＡ」）ネットワーク、周波数分割多元接続（「ＦＤＭＡ」）ネットワーク、直交周波数分割多元接続（「ＯＦＤＭＡ」）ネットワーク、シングルキャリア周波数分割多元接続（「ＳＣ−ＦＤＭＡ」）ネットワーク、または上記のネットワークの任意の組合せなどであり得る。ＣＤＭＡネットワークは、ほんのいくつかの無線技術を挙げれば、ｃｄｍａ２０００、広帯域ＣＤＭＡ（「Ｗ−ＣＤＭＡ（登録商標）」）などの１つまたは複数の無線アクセス技術（「ＲＡＴ」）を実装し得る。ここで、ｃｄｍａ２０００は、ＩＳ−９５規格、ＩＳ−２０００規格、およびＩＳ−８５６規格に従って実装される技術を含み得る。ＴＤＭＡネットワークは、モバイル通信用グローバルシステム（「ＧＳＭ」：Global System for Mobile Communications）、デジタルアドバンストモバイルフォンシステム（「Ｄ−ＡＭＰＳ」：Digital Advanced Mobile Phone System）、または何らかの他のＲＡＴを実装し得る。ＧＳＭおよびＷ−ＣＤＭＡは、「第３世代パートナーシッププロジェクト」（「３ＧＰＰ（登録商標）」：3rd Generation Partnership Project）と称する団体からの文書に記載されている。ｃｄｍａ２０００は、「第３世代パートナーシッププロジェクト２」（「３ＧＰＰ２」：3rd Generation Partnership Project 2）と称する団体からの文書に記載されている。３ＧＰＰおよび３ＧＰＰ２の文書は公的に入手可能である。４Ｇロングタームエボリューション（「ＬＴＥ」）通信ネットワークも、一態様において、請求される主題に従って実装され得る。ＷＬＡＮはＩＥＥＥ８０２．１１ｘネットワークを備え得、ＷＰＡＮは、たとえば、Ｂｌｕｅｔｏｏｔｈネットワーク、ＩＥＥＥ８０２．１５ｘを備え得る。本明細書で説明されたワイヤレス通信実装形態はまた、ＷＷＡＮ、ＷＬＡＮまたはＷＰＡＮの任意の組合せとともに使用され得る。
【００６７】
[00072]別の態様では、前述のように、ワイヤレス送信機またはアクセスポイントは、セルラー電話サービスを会社または家庭に延長するために利用されるフェムトセルを備え得る。そのような実装形態では、１つまたは複数のモバイルデバイスは、たとえば、符号分割多元接続（「ＣＤＭＡ」）セルラー通信プロトコルを介してフェムトセルと通信し得、フェムトセルは、インターネットなどの別のブロードバンドネットワークを介してより大きいセルラー電気通信ネットワークへのアクセスをモバイルデバイスに与え得る。
【００６８】
[00073]本明細書で説明された技法は、いくつかのＧＮＳＳおよび／またはＧＮＳＳの組合せのうちのいずれか１つを含むＳＰＳとともに使用され得る。さらに、そのような技法は、「スードライト（pseudolite）」として働く地上波送信機、またはＳＶとそのような地上波送信機との組合せを利用する測位システムとともに使用され得る。地上波送信機は、たとえば、ＰＮコードまたは（たとえば、ＧＰＳまたはＣＤＭＡセルラー信号と同様の）他のレンジングコードをブロードキャストする地上送信機を含み得る。そのような送信機は、遠隔受信機による識別を可能にするように一意のＰＮコードを割り当てられ得る。地上波送信機は、たとえば、トンネルの中、鉱山内、建築物の中、ビルの谷間または他の閉じられたエリア内などの、周回するＳＶからのＳＰＳ信号が利用できないことがある状況においてＳＰＳを補強するのに有用であり得る。スードライトの別の実装形態は無線ビーコンとして知られている。本明細書で使用される「ＳＶ」という用語は、スードライト、スードライトの等価物、および場合によっては他のものとして働く地上波送信機を含むものとする。本明細書で使用される「ＳＰＳ信号」および／または「ＳＶ信号」という用語は、スードライトまたはスードライトの等価物として働く地上波送信機を含む、地上波送信機からのＳＰＳ様の信号を含むものとする。
【００６９】
[00074]同様に、このコンテキストでは、「結合された（coupled）」、「接続された（connected）」という用語、および／または同様の用語が、一般的に使用される。これらの用語は類義語として意図されないことを理解されたい。むしろ、「接続された」は、一般的に、２つまたはそれ以上の構成要素が、たとえば、電気的に接触していることを含む、直接物理的に接触していることを示すために使用され、「結合された」は、一般的に、２つまたはそれ以上の構成要素が潜在的に、電気的に接触していることを含む、直接物理的に接触していることを意味するために使用されるが、「結合された」はまた、一般的に、２つまたはそれ以上の構成要素が必ずしも直接接触しているとは限らないが、とはいえ、協働および／または対話することが可能であることを意味するためにも使用される。結合されたという用語はまた、一般的に、たとえば、適切なコンテキストでは、間接的に接続されていることを意味すると理解される。
【００７０】
[00075]本明細書で使用される「および」、「または」、「および／または」という用語、および／または同様の用語は、そのような用語が使用される特定のコンテキストに少なくとも部分的に依存することも予想される様々な意味を含む。一般に、「または」がＡ、ＢまたはＣなどのリストを関連付けるために使用される場合、ここで包含的な意味で使用されるＡ、Ｂ、およびＣを意味し、ならびにここで排他的な意味で使用されるＡ、ＢまたはＣを意味するものとする。さらに、本明細書で使用される「１つまたは複数の」という用語および／または同様の用語は、単数形の任意の特徴、構造、および／または特性について説明するために使用され、ならびに／あるいは複数の特徴、構造および／または特性、ならびに／あるいは特徴、構造または特性の何らかの他の組合せについて説明するために使用される。同様に、「に基づいて」という用語および／または同様の用語は、ファクタの排他的セットを表すことを必ずしも意図するものとは限らず、必ずしも明確に説明されるとは限らない追加のファクタの存在を考慮に入れることを意図するものとして理解される。もちろん、上記のすべてについて、説明および／または使用の特定のコンテキストは、引き出されるべき推論に関する有用なガイダンスを与える。以下の説明は１つまたは複数の例示的な例を与えるにすぎず、請求される主題はこれらの１つまたは複数の例に限定されないが、この場合も、説明および／または使用の特定のコンテキストは、引き出されるべき推論に関する有用なガイダンスを与えることに留意されたい。
【００７１】
[00076]このコンテキストでは、ネットワークデバイスという用語は、ネットワークを介しておよび／またはネットワークの一部として通信することが可能な任意のデバイスを指し、コンピューティングデバイスを備え得る。ネットワークデバイスは、ワイヤードおよび／またはワイヤレスネットワークを介してなど、信号（たとえば、信号パケットおよび／またはフレーム）を送信および／または受信することが可能であり得るが、ネットワークデバイスはまた、物理的メモリ状態としてメモリ中でなど、算術および／または論理演算を実行すること、信号を処理および／または記憶することが可能であり得、ならびに／あるいは、たとえば、様々な実施形態では、サーバとして動作し得る。サーバなどとして動作することが可能なネットワークデバイスは、例として、専用ラックマウント式サーバ、デスクトップコンピュータ、ラップトップコンピュータ、セットトップボックス、タブレット、ネットブック、スマートフォン、ウェアラブルデバイス、上記のデバイスの２つまたはそれ以上の特徴を組み合わせた集積デバイスなど、またはそれらの任意の組合せを含み得る。信号パケットおよび／またはフレームは、たとえば、ワイヤレスネットワークを介して結合されたワイヤレスデバイス間を含む、たとえば、サーバとクライアントデバイスとの間、および／または他のタイプのネットワークデバイス間などで交換され得る。サーバ、サーバデバイス、サーバコンピューティングデバイス、サーバコンピューティングプラットフォームという用語および／または同様の用語は互換的に使用されることに留意されたい。同様に、クライアント、クライアントデバイス、クライアントコンピューティングデバイス、クライアントコンピューティングプラットフォームという用語および／または同様の用語も互換的に使用される。いくつかの事例では、説明しやすいように、これらの用語は、「クライアントデバイス」または「サーバデバイス」に言及することによってなど、単数形で使用され得るが、説明は、適宜に、１つまたは複数のクライアントデバイスおよび／または１つまたは複数のサーバデバイスを包含するものとする。同様の方針に沿って、「データベース」への言及は、適宜に、１つまたは複数のデータベースおよび／またはそれの部分を意味すると理解される。
【００７２】
[00077]説明しやすいように、（ネットワーキングデバイスとも呼ばれる）ネットワークデバイスは、コンピューティングデバイスに関して実施および／または説明され得ることを理解されたい。しかしながら、この説明は、請求される主題が、コンピューティングデバイスおよび／またはネットワークデバイスなど、一実施形態に限定されることと決して解釈されるべきではなく、代わりに、たとえば、１つまたは複数の例示的な例を含む、様々なデバイスまたはそれらの組合せとして実施され得ることと解釈されるべきであることをさらに理解されたい。
【００７３】
[00078]本明細書全体にわたる一実装形態、実装形態、一実施形態、実施形態などへの言及は、特定の実装形態および／または実施形態に関して説明された特定の特徴、構造、および／または特性が、請求される主題の少なくとも１つの実装形態および／または実施形態に含まれることを意味する。したがって、たとえば、本明細書全体にわたる様々な箇所でのそのような句の出現は、必ずしも同じ実装形態または説明された特定の一実装形態を指すことを意図されるとは限らない。さらに、説明された特定の特徴、構造、および／または特性は、たとえば、１つまたは複数の実装形態では、様々な方法で組み合わせられることが可能であり、したがって、意図された特許請求の範囲内にあることを理解されたい。概して、もちろん、これらおよび他の問題はコンテキストによって異なる。したがって、説明および／または使用の特定のコンテキストは、引き出されるべき推論に関する有用なガイダンスを与える。
【００７４】
[00079]現在例示的な特徴と考えられることが例示され説明されたが、請求される主題から逸脱することなく、様々な他の変更が行われ得、均等物が代用され得ることが、当業者には理解されよう。さらに、本明細書で説明された中心概念から逸脱することなく、請求される主題の教示に特定の状況を適合させるための多くの変更が行われ得る。したがって、請求される主題は、開示された特定の例に限定されず、そのような請求される主題はまた、添付の特許請求の範囲内に入るすべての態様とそれらの均等物とを含み得るものとする。
以下に、本願の出願当初の特許請求の範囲に記載された発明を付記する。
［Ｃ１］
開始ワイヤレス局（ＳＴＡ）における方法であって、
ファインタイミング測定（ＦＴＭ）メッセージの１つまたは複数のバーストを応答ＳＴＡに要求する第１のＦＴＭ要求メッセージを送信することと、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの第２のＦＴＭ要求メッセージの送信との間の最小時間オフセットを指定する、少なくとも１つのフィールドを備える、
前記第１のＦＴＭ要求メッセージに応答して、前記応答ＳＴＡによって送信された前記初期ＦＴＭメッセージを受信することとを備える、方法。
［Ｃ２］
前記初期ＦＴＭメッセージの受信に応答して、前記応答ＳＴＡに肯定応答メッセージを送信することと、
前記肯定応答メッセージの送信に続いて低減電力状態に遷移することと、
少なくとも部分的に、前記最小時間オフセットによって定義される持続時間の終了より前に、前記低減電力状態から全電力状態に遷移することとをさらに備える、Ｃ１に記載の方法。
［Ｃ３］
ＦＴＭメッセージの前記１つまたは複数のバースト中で送信されたＦＴＭメッセージのうちの少なくとも１つの飛行時間を算出することと、
前記算出された飛行時間に少なくとも部分的に基づいて、前記開始ＳＴＡと前記応答ＳＴＡとの間の距離を測定することとをさらに備える、Ｃ１に記載の方法。
［Ｃ４］
前記第１のＦＴＭ要求メッセージ中の１つまたは複数の要求されたパラメータの、前記初期ＦＴＭメッセージ中の１つまたは複数の代替パラメータとの比較に少なくとも部分的に基づいて、前記最小時間オフセットに続いて前記第２のＦＴＭ要求メッセージを送信することをさらに備える、Ｃ１に記載の方法。
［Ｃ５］
前記第２のＦＴＭ要求メッセージを送信すること、前記第２のＦＴＭ要求メッセージが、前記第１のＦＴＭ要求メッセージ中の１つまたは複数の第１の要求されたパラメータの、前記受信された初期ＦＴＭメッセージ中の１つまたは複数の代替パラメータとの比較に少なくとも部分的に基づいて、前記第１のＦＴＭ要求メッセージを消去するためのトリガフィールドにおける値を備える、をさらに備える、Ｃ１に記載の方法。
［Ｃ６］
１つまたは複数の第２の要求されたパラメータを備える第３のＦＴＭ要求メッセージを前記応答ＳＴＡに送信することをさらに備える、Ｃ５に記載の方法。
［Ｃ７］
前記第１のＦＴＭ要求メッセージは、前記少なくとも１つのフィールドが部分タイミング同期機能（ＴＳＦ）タイマー指示の代わりに前記最小時間オフセットを含んでいることを示す、１つまたは複数のビットをさらに備える、Ｃ１に記載の方法。
［Ｃ８］
開始ワイヤレス局（ＳＴＡ）であって、
ワイヤレス通信ネットワークからメッセージを受信するための受信機と、
前記ワイヤレス通信ネットワークにメッセージを送信するための送信機と、
１つまたは複数のプロセッサとを備え、前記１つまたは複数のプロセッサが、
ファインタイミング測定（ＦＴＭ）メッセージの１つまたは複数のバーストを応答ＳＴＡに要求する、前記送信機を介した、第１のＦＴＭ要求メッセージの送信を開始することと、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの第２のＦＴＭ要求メッセージの送信との間の最小時間オフセットを指定する、少なくとも１つのフィールドを備える、
前記受信機において受信された前記第１のＦＴＭ要求メッセージに応答して、前記応答ＳＴＡによって送信された前記初期ＦＴＭメッセージを取得することとを行うように構成された、開始ＳＴＡ。
［Ｃ９］
前記１つまたは複数のプロセッサが、
前記初期ＦＴＭメッセージの受信に応答して、前記送信機を介した、前記応答ＳＴＡへの肯定応答メッセージの送信を開始することと、
前記肯定応答メッセージの送信に続いて低減電力状態への前記開始ＳＴＡの遷移を開始することと、
少なくとも部分的に、前記最小時間オフセットによって定義される持続時間の終了より前に、前記低減電力状態から全電力状態への前記開始ＳＴＡの遷移を開始することとを行うようにさらに構成された、Ｃ８に記載の開始ＳＴＡ。
［Ｃ１０］
前記１つまたは複数のプロセッサが、
ＦＴＭメッセージの前記１つまたは複数のバースト中で送信された少なくとも１つのＦＴＭメッセージの飛行時間を算出することと、
前記算出された飛行時間に少なくとも部分的に基づいて、前記開始ＳＴＡと前記応答ＳＴＡとの間の距離を測定することとを行うようにさらに構成された、Ｃ８に記載の開始ＳＴＡ。
［Ｃ１１］
前記１つまたは複数のプロセッサが、
前記第１のＦＴＭ要求メッセージ中の１つまたは複数の要求されたパラメータの、前記初期ＦＴＭメッセージ中の１つまたは複数の代替パラメータとの比較に少なくとも部分的に基づいて、少なくとも部分的に、前記最小時間オフセットによって定義される持続時間に続いて、前記送信機を介した、前記第２のＦＴＭ要求メッセージの送信を開始するようにさらに構成された、Ｃ８に記載の開始ＳＴＡ。
［Ｃ１２］
前記１つまたは複数のプロセッサが、
前記送信機を介した、前記第２のＦＴＭ要求メッセージの送信を開始するようにさらに構成され、前記第２のＦＴＭ要求メッセージが、前記第１のＦＴＭ要求メッセージ中の１つまたは複数の第１の要求されたパラメータの、前記受信された初期ＦＴＭメッセージ中の１つまたは複数の代替パラメータとの比較に少なくとも部分的に基づいて、前記第１のＦＴＭ要求メッセージを消去するためのトリガフィールドにおける値を備える、Ｃ８に記載の開始ＳＴＡ。
［Ｃ１３］
前記１つまたは複数のプロセッサが、前記送信機を介した、前記応答ＳＴＡへの第３のＦＴＭ要求メッセージの送信を開始するようにさらに構成され、前記第３のＦＴＭ要求メッセージが、１つまたは複数の第２の要求されたパラメータを備える、Ｃ１２に記載の開始ＳＴＡ。
［Ｃ１４］
前記第１のＦＴＭ要求メッセージは、前記少なくとも１つのフィールドが部分タイミング同期機能（ＴＳＦ）タイマー指示の代わりに前記最小時間オフセットを含んでいることを示す、１つまたは複数のビットをさらに備える、Ｃ８に記載の開始ＳＴＡ。
［Ｃ１５］
応答ワイヤレス局（ＳＴＡ）において、
開始ＳＴＡから第１のファインタイミング測定（ＦＴＭ）要求メッセージを受信することと、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記初期ＦＴＭメッセージを送信することとを備える方法。
［Ｃ１６］
前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振ることをさらに備える、Ｃ１５に記載の方法。
［Ｃ１７］
前記開始ＳＴＡによって送信された肯定応答メッセージの受信の不在に応答して、設定された回数、前記初期ＦＴＭメッセージを再送信することと、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振ることとをさらに備える、Ｃ１６に記載の方法。
［Ｃ１８］
前記第１のＦＴＭ要求メッセージが、ＦＴＭメッセージの前記要求された１つまたは複数のバーストの１つまたは複数の要求された態様を指定するための１つまたは複数の第１のパラメータを備える１つまたは複数のフィールドをさらに備え、前記初期ＦＴＭメッセージが、ＦＴＭメッセージの前記要求された１つまたは複数のバーストのための１つまたは複数の代替態様を指定するための１つまたは複数のフィールドをさらに備える、Ｃ１６に記載の方法。
［Ｃ１９］
前記１つまたは複数の要求された態様が、バーストの数、バースト持続時間またはバーストオフセット、あるいはそれらの任意の組合せを備える、Ｃ１８に記載の方法。
［Ｃ２０］
応答ワイヤレス局（ＳＴＡ）であって、
ワイヤレス通信ネットワークからメッセージを受信するための受信機と、
前記ワイヤレス通信ネットワークにメッセージを送信するための送信機と、
１つまたは複数のプロセッサとを備え、前記１つまたは複数のプロセッサは、
開始ＳＴＡから前記受信機において受信された第１のファインタイミング測定（ＦＴＭ）要求メッセージを取得することと、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記送信機を介した、前記初期ＦＴＭメッセージの送信を開始することとを行うように構成された、応答ＳＴＡ。
［Ｃ２１］
前記１つまたは複数のプロセッサが、前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振るようにさらに構成された、Ｃ２０に記載の応答ＳＴＡ。
［Ｃ２２］
前記１つまたは複数のプロセッサが、
前記開始ＳＴＡによって送信された肯定応答メッセージの受信の不在に応答して、設定された回数、前記初期ＦＴＭメッセージの再送信を開始することと、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振ることとを行うようにさらに構成された、Ｃ２１に記載の応答ＳＴＡ。
［Ｃ２３］
前記第１のＦＴＭ要求メッセージが、ＦＴＭメッセージの前記要求された１つまたは複数のバーストの１つまたは複数の要求された態様を指定するための１つまたは複数の第１のパラメータを備える１つまたは複数のフィールドをさらに備え、前記初期ＦＴＭメッセージが、ＦＴＭメッセージの前記要求された１つまたは複数のバーストのための１つまたは複数の代替態様を指定するための１つまたは複数のフィールドをさらに備える、Ｃ２１に記載の応答ＳＴＡ。
［Ｃ２４］
前記１つまたは複数の要求された態様が、バーストの数、バースト持続時間またはバーストオフセット、あるいはそれらの任意の組合せを備える、Ｃ２３に記載の応答ＳＴＡ。
［Ｃ２５］
ファインタイミング測定（ＦＴＭ）メッセージの１つまたは複数のバーストを応答ワイヤレス局（ＳＴＡ）に要求する第１のＦＴＭ要求メッセージの送信を開始することと、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と開始ＳＴＡからの第２のＦＴＭ要求メッセージの送信との間の最小時間オフセットを指定する、少なくとも１つのフィールドを備える、
前記第１のＦＴＭ要求メッセージに応答して、前記開始ＳＴＡにおいて受信され、前記応答ＳＴＡによって送信された前記初期ＦＴＭメッセージを取得することとを行うために前記開始ＳＴＡの１つまたは複数のプロセッサによって実行可能である、その上に記憶されたコンピュータ可読命令を備える非一時的記憶媒体。
［Ｃ２６］
前記命令が、
前記初期ＦＴＭメッセージの受信に応答して、前記応答ＳＴＡへの肯定応答メッセージの送信を開始することと、
前記肯定応答メッセージの送信に続いて低減電力状態への前記開始ＳＴＡの遷移を開始することと、
少なくとも部分的に、前記最小時間オフセットによって定義される持続時間の終了より前に、前記低減電力状態から全電力状態への前記開始ＳＴＡの遷移を開始することとを行うために前記１つまたは複数のプロセッサによってさらに実行可能である、Ｃ２５に記載の記憶媒体。
［Ｃ２７］
前記命令が、
ＦＴＭメッセージの前記１つまたは複数のバースト中で送信されたＦＴＭメッセージのうちの少なくとも１つの飛行時間を算出することと、
前記算出された飛行時間に少なくとも部分的に基づいて、前記開始ＳＴＡと前記応答ＳＴＡとの間の距離を測定することとを行うために前記１つまたは複数のプロセッサによってさらに実行可能である、Ｃ２５に記載の記憶媒体。
［Ｃ２８］
開始ワイヤレス局（ＳＴＡ）であって、
ファインタイミング測定（ＦＴＭ）メッセージの１つまたは複数のバーストを応答ＳＴＡに要求する第１のＦＴＭ要求メッセージを送信するための手段と、前記第１のＦＴＭ要求メッセージが、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの第２のＦＴＭ要求メッセージの送信との間の最小時間オフセットを指定する、少なくとも１つのフィールドを備える、
前記第１のＦＴＭ要求メッセージに応答して、前記応答ＳＴＡによって送信された前記初期ＦＴＭメッセージを受信するための手段とを備える開始ＳＴＡ。
［Ｃ２９］
前記初期ＦＴＭメッセージの受信に応答して、前記応答ＳＴＡに肯定応答メッセージを送信するための手段と、
前記肯定応答メッセージの送信に続いて低減電力状態に遷移するための手段と、
少なくとも部分的に、前記最小時間オフセットによって定義される持続時間の終了より前に、前記低減電力状態から全電力状態に遷移するための手段とをさらに備える、Ｃ２８に記載の開始ＳＴＡ。
［Ｃ３０］
ＦＴＭメッセージの前記１つまたは複数のバースト中で送信されたＦＴＭメッセージのうちの少なくとも１つの飛行時間を算出するための手段と、
前記算出された飛行時間に少なくとも部分的に基づいて、前記開始ＳＴＡと前記応答ＳＴＡとの間の距離を測定するための手段とをさらに備える、Ｃ２８に記載の開始ＳＴＡ。
［Ｃ３１］
開始ワイヤレス局（ＳＴＡ）から受信された第１のファインタイミング測定（ＦＴＭ）要求メッセージを取得することと、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記初期ＦＴＭメッセージの送信を開始することとを行うために前記応答ＳＴＡにおける１つまたは複数のプロセッサによって実行可能である、その上に記憶されたコンピュータ可読命令を備える非一時的記憶媒体。
［Ｃ３２］
前記命令が、
前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振ることを行うために前記１つまたは複数のプロセッサによってさらに実行可能である、Ｃ３１に記載の記憶媒体。
［Ｃ３３］
前記命令が、
前記開始ＳＴＡによって送信された肯定応答メッセージの受信の不在に応答して、設定された回数、前記初期ＦＴＭメッセージの再送信を開始することと、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振ることとを行うために前記１つまたは複数のプロセッサによってさらに実行可能である、Ｃ３２に記載の記憶媒体。
［Ｃ３４］
応答ワイヤレス局（ＳＴＡ）であって、
開始ＳＴＡから第１のファインタイミング測定（ＦＴＭ）要求メッセージを受信するための手段と、前記第１のＦＴＭ要求メッセージが、ＦＴＭメッセージの１つまたは複数のバーストを要求し、少なくとも、ＦＴＭメッセージの前記要求された１つまたは複数のバーストのうちの初期バーストに先行する、前記応答ＳＴＡからの初期ＦＴＭメッセージの送信と前記開始ＳＴＡからの後続のＦＴＭ要求メッセージの送信との間の最小時間オフセットを指定する、１つまたは複数のフィールドを備える、
前記第１のＦＴＭ要求メッセージに応答して、前記初期ＦＴＭメッセージを送信するための手段とを備える、応答ＳＴＡ。
［Ｃ３５］
前記初期ＦＴＭメッセージの受信に応答して前記開始ＳＴＡによって送信された肯定応答メッセージの受信に応答して、少なくとも部分的に、前記最小時間オフセットによって定義される持続時間の満了に続いて、ＦＴＭメッセージの前記要求された１つまたは複数のバーストを与えるために、少なくとも１つのリソースを割り振るための手段をさらに備える、Ｃ３４に記載の応答ＳＴＡ。
［Ｃ３６］
前記開始ＳＴＡによって送信された肯定応答メッセージの受信の不在に応答して、設定された回数、前記初期ＦＴＭメッセージを再送信するための手段と、
前記初期ＦＴＭメッセージの再送信の受信に応答して前記開始ＳＴＡによって送信された肯定応答メッセージの受信に応答して、少なくとも部分的に、前記最小時間オフセットによって定義される前記持続時間の満了に続いて、ＦＴＭメッセージの前記要求された１つまたは複数のバーストを与えるために、少なくとも１つのリソースを割り振るための手段とをさらに備える、Ｃ３５に記載の応答ＳＴＡ。
【図１】
0006716583.tif 000002
【図２】
0006716583.tif 000003
【図３】
0006716583.tif 000004
【図４】
0006716583.tif 000005
【図５】
0006716583.tif 000006
【図６】
0006716583.tif 000007
【図７】
0006716583.tif 000008
【図８】
0006716583.tif 000009
【図９】
0006716583.tif 000010